(57)【特許請求の範囲】
【請求項１】
ウラン系列又は、トリウム系列の放射性物質を含む天然鉱石を砂状に粉砕し、天然鉱石を砂状に粉砕した鉱石粉末に、元素の周期表で分類された銅族の金属を活性炭に蒸着した蒸着活性炭を体積比で５％から２０％添加し混合して、伸縮性があるジャージ素材に包み込んで縫製し、内包した鉱石粉末から放出される低線量の放射線刺激によるホルミシス効果と、銅属の金属が放出する金属イオンによる抗菌効果を用いることを特徴とする、天然放射性鉱石を利用した健康用具の製造方法。
【発明の詳細な説明】
【技術分野】
【０００１】  本発明は、ウラン系列又は、トリウム系列の放射性物質から放出される低線量の放射線刺激によるホルミシス効果と、銅属の金属が放出する金属イオンによる抗菌効果を活用した健康用具に関するものである。
【背景技術】
【０００２】  健康促進のため、放射性物質から放出される低線量の放射線刺激によるホルミシス効果や、放射性物質から放出されるエネルギーによる原子、分子のラジカル化や電離作用による化学反応を利用した技術が提案されている。【０００３】  特許文献１には、イオン対やラジカルを生成する天然放射性稀有元素鉱物の微粉末２を混入した合成繊維又は人造繊維１で作成した編物・織布・不織布・わた等からなる構成とした、天然放射性稀有元素鉱物を利用した健康材料が提案されている。この方法は、天然放射性稀有元素鉱物が持つ効果を高度に活用しながら、一般の衣料品や身の回り品と外観上もまた感触上もほとんど変らないようにし、使用上の抵抗感をなくしてその使用の機会の増大を図る点で優れているが、衣料品に使用する前提が使用の機会を束縛している要因でもあり、また、殺菌作用、浄化作用、消臭作用の強化が必要であった。【０００４】  特許文献２には、放射線を発生させる鉱物、例えばモナザイト、リン鉱石、チタン鉱石、バストネサイト、ジルコン、サマリウム等の鉱物の粉体に、導電性金属、例えば銅、亜鉛、チタン、タングステン等の粉末あるいは繊維、およびグラファイトの粉体あるいは繊維を混合させ、高分子材料を用いて一体に固めた物質活性化装置が提案されている。この方法は、例えばテニス等のスポーツをする際に手首に装着するタオル地製のリストバンドに導電性の金属繊維を編み込むとともに、その外側表面に放射線発生手段の層を設ければ、人体に対する活性化作用を生じさせることができる点で優れているが、活性化作用が放射線→層外の物質をイオン化→イオン化の際に生る電荷→電界および磁界→イオン化した物質に作用＝粉体あるいは繊維の表面における仕事関数を低下させる動作となり、一連の変換作用を経た間接的な効果を用いているので、放射線量に対するホルミシス効果が低くなる傾向を示す。【０００５】
【特許文献１】  特開平０６−３１９８０７号公報
【特許文献２】  国際公開第２００６／０７７６３５号
【発明の開示】
【発明が解決しようとする課題】
【０００６】  そこで本発明は、上記問題点に鑑みて発明されたもので、銅属の金属が放出する金属イオンによる抗菌効果を活用し、放射線量が安全性の面で許容される範囲内において、放射エネルギーを十分に発揮できる天然放射性鉱石を利用した健康用具の製造方法を提供することを課題とする。
【課題を解決するための手段】
【０００７】  課題を解決するため、放射性物質を含む天然鉱石と導電体金属との関係を調査した結果、オーストリアのバドガシュタインの廃坑は金又は、銀鉱山、銅スクロドフスカ石は銅と珪石と酸化ウランの結晶化した鉱物であり、元素の周期表で分類されたその属の一般名は銅族であり、イオンの反応性や抗菌性に応用できる物質族として残った。【０００８】  上記の課題を達成するため、請求項１に記載した天然放射性鉱石を利用した健康用具の製造方法は、ウラン系列又は、トリウム系列の放射性物質を含む天然鉱石を砂状に粉砕し、天然鉱石を砂状に粉砕した鉱石粉末に、元素の周期表で分類された銅族の金属を活性炭に蒸着した蒸着活性炭を体積比で５％から２０％添加し混合して、伸縮性があるジャージ素材に包み込んで縫製し、内包した鉱石粉末から放出される低線量の放射線刺激によるホルミシス効果と、銅属の金属が放出する金属イオンによる抗菌効果を用いることを特徴としている。【０００９】  この発明に使用する砂状に粉砕した鉱石は、ウラン系列又は、トリウム系列の天然放射線核種の鉱石を砂状に粉砕したもので、高エネルギーの電磁波（γ線）や、運動エネルギーをもつ電子（β線）、原子核（α線）や中性子線などの粒子を発生し、それを体内に吸収したり吸気するときに、体内物質中の原子や分子に作用して電離したり熱エネルギーを与える能力を持っている。【００１０】  そして銅族の金属を活性炭に蒸着した蒸着活性炭を添加し混合することで、鉱石から放射されるエネルギーにより電離作用や熱エネルギーを得た放射線刺激によるホルミシス効果と、砂状に粉砕した鉱石に添加された元素の周期表で分類された銅族の金属（金（Ａｕ）、銀（Ａｇ）銅（Ｃｕ））の持つ抗菌効果と協調し、放射線量が安全性の面で許容される範囲内においても活性効果を十分に発揮するのである。
【発明の効果】
【００１１】  以上説明したように請求項１の発明によれば、銅族の金属を活性炭に蒸着した蒸着活性炭を添加し混合することで、鉱石から放射されるエネルギーにより電離作用や熱エネルギーを得た放射線刺激によるホルミシス効果と、砂状に粉砕した鉱石に添加された元素の周期表で分類された銅族の金属（金（Ａｕ）、銀（Ａｇ）銅（Ｃｕ））の持つ抗菌効果と協調し、放射線量が安全性の面で許容される範囲内では放射エネルギーを十分に発揮できないという課題を解決できる。【００１２】
【発明を実施するための最良の形態】
【００１３】  以下、本発明の実施形態を図１〜図２を参照して詳細に説明する。図１は本発明の天然鉱石を砂状に粉砕した鉱石粉末に、元素の周期表で分類された銅族の金属を活性炭に蒸着した蒸着活性炭を添加し混合した原材料の一部を示す拡大図、図２は本発明の天然放射性鉱石を利用した健康用具の断面を示す拡大図である。【００１４】  図１に示す原材料は、天然鉱石１と銅族の金属を活性炭に蒸着した金属蒸着活性炭２よりなる混合物となっている。【００１５】  自然界にはウランやトリウムのような非常に不安定な元素があり、放射線を発しながら崩壊（壊変）し減少する。崩壊により半分に減る半減期は放射性元素のウラン２３８が４５億年、トリウム２３２では１４０億年、ラジウム２２６では１６００年ときわめて長期である。【００１６】  ここで使用される天然鉱石１は、現在の混合比率を適応すると、モナザイト、ジルコンが好適であるが、混合比率を調整すればリン鉱石やチタン鉱石やその他の鉱石に置き換えても良い。【００１７】  天然鉱石１からの放射線を分類すると、α線、β線、γ線があり、α線は放射性物質が崩壊した時に飛び出してくるヘリウムの原子核で紙や皮膚を透過できずイオン化される。β線は紙や皮膚を透過するがアルミニウム箔やガラスを透過できずイオン化される。γ線はアルミニウム箔やガラスを透過するが水やパラフィンを透過できずイオン化される性質を持っている。【００１８】  従来より、α線、β線、γ線が、そのエネルギーにより、原子、分子をラジカル化したり電離作用でイオン対を生成し、化学反応やイオン反応により、身体血液中のｐＨ値を整え、血行の循環を良くし、生理代謝作用を促進し、この結果、肩凝り、疲労回復に優れた効果を示すことや、殺菌作用、浄化作用、消臭作用があり身体の悪臭を取り去り清潔な身体を保持できるといった、低線量の放射線刺激により、生体に有益な効果を得る生理的刺激作用が、医療界を始めとして、広く一般に知られている。【００１９】  ここで使用される銅属の金属は、放射線と金属イオンとの相乗効果と、抗菌作用を得るため選択されたもので、相乗効果を配慮すると原子量から金１９７、銀１０７．９銅６３．５の順となり、金が最も好適であるが銀や銅を否定するものではない。【００２０】  抗菌作用を配慮すると、殺菌力の強い順で、銅、銀、金、鉛、となるが、鉛は除外（ウランやトリウムの崩壊途中の元素ラジウムは、放射線を発しながら最後に鉛２０７．２へと変化）するので、人体に対する安全面を配慮すると銀、金、銅の順となり、銀が最も好適であるが金や銅を否定するものではない。この抗菌作用は、銅属の金属単独でも起こる直接的な反応である。【００２１】  金属の材料として金、銀、銅に着目したのは、これらが古くから殺菌効果や活性化効果があるとされていたからである。例えば金と銀は食器として用いられ、銅は花器として用いられており、滅菌作用や生花を長持ちさせる作用があることが知られていたことや、オーストリアのバドガシュタインの廃坑は金又は、銀鉱山、銅スクロドフスカ石は銅と珪石と酸化ウランの結晶化した鉱物であり、元素の周期表で分類されたその属の一般名は銅族であり、イオンの反応性や抗菌性に応用できる物質族として残った。【００２２】  図２に示す天然放射性鉱石を利用した健康用具の製造方法は、天然鉱石１と銅族の金属を活性炭に蒸着した金属蒸着活性炭２よりなる混合物を、ジャージ素材３に包み込んで、縫製箇所４を縫製した物となっている。【００２３】  天然放射性鉱石を利用した健康用具は、伸び縮みやすい特性を生かして、手首や足首に付けてブレスレットのように使用したり、膝のサポーターとして膝バンドのように使用したり、コルセットのように腰に巻いて使用したり、アイマスクのように目を覆うように使用したり、各部に分散して使用する。
【図面の簡単な説明】
【００２４】
【図１】本発明の原材料の一部を示す拡大図である。
【図２】本発明の天然放射性鉱石を利用した健康用具の断面を示す拡大図である。
【符号の説明】
【００２５】  １      天然鉱石
２      金属蒸着活性炭
３      ジャージ素材
４      縫製箇所
【要約】
【課題】  放射線量が安全性の面で許容される範囲内において、放射エネルギーを十分に発揮できる天然放射性鉱石を利用した健康用具を提供する。
【解決手段】  天然鉱石を砂状に粉砕した鉱石粉末に、元素の周期表で分類された銅族の金属を活性炭に蒸着した蒸着活性炭を体積比で５％から２０％添加し混合して、軽く伸縮性があるジャージ素材に包み込んで縫製し、内包した鉱石粉末から放出される低線量の放射線刺激によるホルミシス効果と、銅属の金属が放出する金属イオンによる抗菌効果を用い、より活性効果を高める。
【選択図】図２【図１】
0005825585.tif 000002
【図２】
0005825585.tif 000003